(57)【特許請求の範囲】
【請求項１】
進化型ＮｏｄｅＢ（ｅＮｏｄｅＢ）へベアラ確立要求メッセージをモビリティ管理エンティティ（ＭＭＥ）により送信する段階であり、前記ベアラ確立要求メッセージは、ユーザ機器のために音声ベアラを確立するよう前記ｅＮｏｄｅＢに命令するのに用いられる、段階と、
前記ベアラ確立要求メッセージに応答して前記ｅＮｏｄｅＢにより送信されたベアラ確立失敗メッセージを前記ＭＭＥが受信したとき、前記ユーザ機器へインジケーションメッセージを前記ＭＭＥにより送信する段階であり、前記インジケーションメッセージは、前記ユーザ機器のボイスオーバーＩｎｔｅｒｎｅｔ  Ｐｒｏｔｏｃｏｌ（ＩＰ）マルチメディアサブシステム（ＶｏＩＭＳ）が利用不可能であることを示すのに用いられる、段階と、
前記ＶｏＩＭＳが利用不可能であることを通知された前記ユーザ機器により送信された、回線交換（ＣＳ）フォールバックの要求を含むサービス拡張要求メッセージを、前記ＭＭＥが受信する段階と、
前記ＭＭＥが、前記サービス拡張要求メッセージに応答して、前記ユーザ機器をＬＴＥネットワークから２Ｇネットワークおよび３Ｇネットワークの一方のＣＳドメインに転送する段階と
を備える、通信方法。
【請求項２】
前記ユーザ機器へインジケーションメッセージを前記ＭＭＥにより送信する前記段階の前に、
前記ユーザ機器へ通知メッセージを前記ＭＭＥにより送信する段階であり、前記通知メッセージは、前記ユーザ機器が登録または組み合わせ登録を開始することをトリガするのに用いられる、段階と、
前記ユーザ機器により送信された第１登録要求メッセージまたは第１組み合わせ登録要求メッセージを前記ＭＭＥにより受信する段階と
をさらに備え、
前記ユーザ機器へインジケーションメッセージを前記ＭＭＥにより送信する前記段階であり、前記インジケーションメッセージは、前記ユーザ機器のＶｏＩＭＳが利用不可能であることを示すのに用いられる、前記段階は、前記ユーザ機器へ第１登録受付メッセージまたは第１組み合わせ登録受付メッセージを前記ＭＭＥにより送信する段階であり、前記第１登録受付メッセージまたは前記第１組み合わせ登録受付メッセージは第１インジケーション情報を含み、前記第１インジケーション情報は、前記ユーザ機器の前記ＶｏＩＭＳが利用不可能であることを示すのに用いられる、段階を有する、請求項１に記載の通信方法。
【請求項３】
前記通知メッセージはデタッチ要求メッセージであり、または、
前記通知メッセージはグローバルに一意の一時的なアイデンティティ（ＧＵＴＩ）再割り当てメッセージであり、前記ＧＵＴＩ再割り当てメッセージは無効なトラッキングエリアアイデンティティリスト（ＴＡＩ）リストを含む、請求項２に記載の通信方法。
【請求項４】
前記デタッチ要求メッセージは国際モバイル加入者アイデンティティ（ＩＭＳＩ）デタッチインジケーション情報を含む、請求項３に記載の通信方法。
【請求項５】
前記第１登録要求メッセージはアタッチメッセージであり、前記第１登録受付メッセージはアタッチ受付メッセージであり、または、
前記第１組み合わせ登録要求メッセージは組み合わせアタッチメッセージであり、前記第１組み合わせ登録受付メッセージは組み合わせアタッチ受付メッセージであり、または、
前記第１登録要求メッセージはトラッキングエリア更新メッセージであり、前記第１登録受付メッセージはトラッキングエリア更新受付メッセージであり、または、
前記第１組み合わせ登録要求メッセージは組み合わせトラッキングエリア更新メッセージであり、前記第１組み合わせ登録受付メッセージは組み合わせトラッキングエリア更新受付メッセージである、請求項２から４のいずれか一項に記載の通信方法。
【請求項６】
前記ベアラ確立失敗メッセージに従って、ホーム加入者サーバ（ＨＳＳ）へ第１ロケーション更新要求メッセージを前記ＭＭＥにより送信する段階であり、前記第１ロケーション更新要求メッセージは前記ユーザ機器の前記ＶｏＩＭＳが利用不可能であることを前記ＨＳＳに通知するのに用いられる、段階をさらに備える、請求項１から５のいずれか一項に記載の通信方法。
【請求項７】
前記ＭＭＥが前記ユーザ機器を前記ＣＳドメインに転送する段階の後に、
前記ユーザ機器により送信された第２登録要求メッセージまたは第２組み合わせ登録要求メッセージを前記ＭＭＥにより受信する段階と、
前記ユーザ機器へ第２登録受付メッセージまたは第２組み合わせ登録受付メッセージを前記ＭＭＥにより送信する段階であり、前記第２登録受付メッセージまたは前記第２組み合わせ登録受付メッセージは第２インジケーション情報を含み、前記第２インジケーション情報は、前記ユーザ機器の前記ＶｏＩＭＳが利用可能であることを示すのに用いられる、段階と
をさらに備える、請求項１から５のいずれか一項に記載の通信方法。
【請求項８】
前記ユーザ機器へ第２登録受付メッセージまたは第２組み合わせ登録受付メッセージを前記ＭＭＥにより送信する前記段階の後に、
ホーム加入者サーバ（ＨＳＳ）へ第２ロケーション更新要求メッセージを前記ＭＭＥにより送信する段階であり、前記第２ロケーション更新要求メッセージは、前記ユーザ機器の前記ボイスオーバーＩｎｔｅｒｎｅｔ  Ｐｒｏｔｏｃｏｌ（ＩＰ）マルチメディアサブシステム（ＶｏＩＭＳ）が利用可能であることを前記ＨＳＳに通知するのに用いられる、段階をさらに備える、請求項７に記載の通信方法。
【請求項９】
前記ＭＭＥが前記ユーザ機器を前記ＣＳドメインに転送する段階の後に、
前記ユーザ機器により送信された第２登録要求メッセージまたは第２組み合わせ登録要求メッセージを前記ＭＭＥにより受信する段階と、
前記ユーザ機器へ第２登録受付メッセージまたは第２組み合わせ登録受付メッセージを前記ＭＭＥにより送信する段階であり、前記第２登録受付メッセージまたは前記第２組み合わせ登録受付メッセージは第２インジケーション情報を含み、前記第２インジケーション情報は、前記ユーザ機器の前記ＶｏＩＭＳが利用可能であることを示すのに用いられる、段階と
をさらに備える、請求項６に記載の通信方法。
【請求項１０】
前記ユーザ機器へ第２登録受付メッセージまたは第２組み合わせ登録受付メッセージを前記ＭＭＥにより送信する前記段階の後に、
前記ＨＳＳへ第２ロケーション更新要求メッセージを前記ＭＭＥにより送信する段階であり、前記第２ロケーション更新要求メッセージは、前記ユーザ機器の前記ＶｏＩＭＳが利用可能であることを前記ＨＳＳに通知するのに用いられる、段階をさらに備える、請求項９に記載の通信方法。
【請求項１１】
前記ベアラ確立要求メッセージが、ユーザ機器のための音声ベアラを確立するよう前記ｅＮｏｄｅＢに命令するのに用いられることは、
前記ベアラ確立要求メッセージが、サービス品質クラス識別子（ＱＣＩ）が１に等しいベアラを前記ユーザ機器のために確立するよう前記ｅＮｏｄｅＢに命令するのに用いられることを含む、請求項１から１０のいずれか一項に記載の通信方法。
【請求項１２】
進化型ＮｏｄｅＢ（ｅＮｏｄｅＢ）へベアラ確立要求メッセージを送信するよう構成された送信ユニットであり、前記ベアラ確立要求メッセージは、ユーザ機器のために音声ベアラを確立するよう前記ｅＮｏｄｅＢに命令するのに用いられる、送信ユニットと、
前記ベアラ確立要求メッセージに応答して前記ｅＮｏｄｅＢにより送信されたベアラ確立失敗メッセージを受信するよう構成された受信ユニットと
を備え、
前記送信ユニットはさらに、前記ユーザ機器へインジケーションメッセージを送信するよう構成され、前記インジケーションメッセージは、前記ユーザ機器のボイスオーバーＩｎｔｅｒｎｅｔ  Ｐｒｏｔｏｃｏｌ（ＩＰ）マルチメディアサブシステム（ＶｏＩＭＳ）が利用不可能であることを示すのに用いられ、
前記受信ユニットはさらに、前記ＶｏＩＭＳが利用不可能であることを通知された前記ユーザ機器により送信された、回線交換（ＣＳ）フォールバックの要求を含むサービス拡張要求メッセージを受信するように構成され、
前記サービス拡張要求メッセージに応答して、前記ユーザ機器をＬＴＥネットワークから２Ｇネットワークおよび３Ｇネットワークの一方のＣＳドメインに転送する
モビリティ管理エンティティ。
【請求項１３】
前記送信ユニットはさらに、前記モビリティ管理エンティティが前記ユーザ機器へ前記インジケーションメッセージを送信する前に、前記ユーザ機器へ通知メッセージを送信するよう構成され、前記通知メッセージは、前記ユーザ機器が登録または組み合わせ登録を開始することをトリガするのに用いられ、
前記受信ユニットはさらに、前記ユーザ機器により送信された第１登録要求メッセージまたは第１組み合わせ登録要求メッセージを受信するよう構成され、
前記送信ユニットは、前記ユーザ機器へ第１登録受付メッセージまたは第１組み合わせ登録受付メッセージを送信するよう構成され、前記第１登録受付メッセージまたは前記第１組み合わせ登録受付メッセージは第１インジケーション情報を含み、前記第１インジケーション情報は、前記ユーザ機器の前記ＶｏＩＭＳが利用不可能であることを示すのに用いられる、請求項１２に記載のモビリティ管理エンティティ。
【請求項１４】
前記送信ユニットはさらに、前記ベアラ確立失敗メッセージに従って、ホーム加入者サーバ（ＨＳＳ）へ第１ロケーション更新要求メッセージを送信するよう構成され、前記第１ロケーション更新要求メッセージは、前記ユーザ機器の前記ＶｏＩＭＳが利用不可能であることを前記ＨＳＳに通知するのに用いられる、請求項１２または１３に記載のモビリティ管理エンティティ。
【請求項１５】
前記受信ユニットはさらに、前記ＣＳドメインに転送された前記ユーザ機器により送信される第２登録要求メッセージまたは第２組み合わせ登録要求メッセージを受信するよう構成され、
前記送信ユニットはさらに、前記ユーザ機器へ第２登録受付メッセージまたは第２組み合わせ登録受付メッセージを送信するよう構成され、前記第２登録受付メッセージまたは前記第２組み合わせ登録受付メッセージは第２インジケーション情報を含み、前記第２インジケーション情報は、前記ユーザ機器の前記ＶｏＩＭＳが利用可能であることを示すのに用いられる、請求項１２または１３に記載のモビリティ管理エンティティ。
【請求項１６】
前記送信ユニットはさらに、ホーム加入者サーバ（ＨＳＳ）へ第２ロケーション更新要求メッセージを送信するよう構成され、前記第２ロケーション更新要求メッセージは、前記ユーザ機器の前記ボイスオーバーＩｎｔｅｒｎｅｔ  Ｐｒｏｔｏｃｏｌ（ＩＰ）マルチメディアサブシステム（ＶｏＩＭＳ）が利用可能であることを前記ＨＳＳに通知するのに用いられる、請求項１５に記載のモビリティ管理エンティティ。
【請求項１７】
前記受信ユニットはさらに、前記ＣＳドメインに転送された前記ユーザ機器により送信される第２登録要求メッセージまたは第２組み合わせ登録要求メッセージを受信するよう構成され、
前記送信ユニットはさらに、前記ユーザ機器へ第２登録受付メッセージまたは第２組み合わせ登録受付メッセージを送信するよう構成され、前記第２登録受付メッセージまたは前記第２組み合わせ登録受付メッセージは第２インジケーション情報を含み、前記第２インジケーション情報は、前記ユーザ機器の前記ＶｏＩＭＳが利用可能であることを示すのに用いられる、請求項１４に記載のモビリティ管理エンティティ。
【請求項１８】
前記送信ユニットはさらに、前記ＨＳＳへ第２ロケーション更新要求メッセージを送信するよう構成され、前記第２ロケーション更新要求メッセージは、前記ユーザ機器の前記ＶｏＩＭＳが利用可能であることを前記ＨＳＳに通知するのに用いられる、請求項１７に記載のモビリティ管理エンティティ。
【発明の詳細な説明】
【技術分野】
【０００１】
本願発明は、通信技術の分野に関し、特に、通信方法、デバイスおよびシステムに関する。
【背景技術】
【０００２】
ロングタームエボリューション（Ｌｏｎｇ  Ｔｅｒｍ  Ｅｖｏｌｕｔｉｏｎ，ＬＴＥ）技術の発展により、回線交換フォールバック（Ｃｉｒｃｕｉｔ  Ｓｗｉｔｃｈｅｄ  Ｆａｌｌｂａｃｋ，ＣＳＦＢ）から単一無線音声通信継続（ｓｉｎｇｌｅ  ｒａｄｉｏ  ｖｏｉｃｅ  ｃａｌｌ  ｃｏｎｔｉｎｕｉｔｙ，ＳＲＶＣＣ）までのボイスオーバーＬＴＥ（Ｖｏｉｃｅ  Ｏｖｅｒ  ＬＴＥ，ＶｏＬＴＥ）は全体的な産業の一つながりが成熟し、ＶｏＬＴＥは広く用いられている。
【０００３】
ＬＴＥのデータサービスと比較して、ＶｏＬＴＥのデータサービスにはＬＴＥ無線カバレッジに関してより高い要求があり、その理由は主に下記のような側面を含んでいる。  （１）ＶｏＬＴＥにはサービス品質（Ｑｕａｌｉｔｙ  ｏｆ  Ｓｅｒｖｉｃｅ，ＱｏＳ）に関してより高い要求があり、リアルタイムに関して高い要求がある。ゆえに、ＬＴＥのリソーススケジューリングは、ＶｏＬＴＥのアクセスレートを優先的に確保する必要がある。  （２）ＶｏＬＴＥは、高精細度の音声およびビデオコーデックをサポートし、帯域幅に関して高い要求がある。ゆえに、ＬＴＥのリソーススケジューリングは、ＶｏＬＴＥの帯域幅占有を優先的に確保する必要がある。
【０００４】
ＶｏＬＴＥのトラフィックが非常に混んでいるとき、ＬＴＥはまず、ＶｏＬＴＥの要求が満たされることを確保する必要があるので、セルの輻輳が起こり、それによりＶｏＬＴＥベースの通信の失敗が引き起こされることを本願発明の発明者は、従来技術を検討し実践するプロセスにおいて見出した。この場合、ユーザ機器は依然として、ＶｏＬＴＥ通信を開始することを試み続け、このことはセルの輻輳を悪化させる。
【発明の概要】
【０００５】
本願発明の複数の実施形態は、ＶｏＬＴＥ通信が失敗したときに、ＶｏＩＭＳが利用不可能であることをユーザ機器が通知され得、ユーザ機器がＶｏＬＴＥ通信を開始することを試み続けること、およびセルの輻輳を悪化させることが防がれ得る通信方法を提供する。本願発明の複数の実施形態はさらに、対応するデバイスおよびシステムを提供する。
【０００６】
本願発明の複数の実施形態の第１態様は通信方法を提供し、通信方法は、
進化型ＮｏｄｅＢ  ｅＮｏｄｅＢへベアラ確立要求メッセージをモビリティ管理エンティティＭＭＥにより送信する段階であり、ベアラ確立要求メッセージは、ユーザ機器のために音声ベアラを確立するようｅＮｏｄｅＢに命令するのに用いられる、段階と、
ベアラ確立要求メッセージに応答してｅＮｏｄｅＢにより送信されたベアラ確立失敗メッセージをＭＭＥが受信したとき、ユーザ機器へインジケーションメッセージをＭＭＥにより送信する段階であり、インジケーションメッセージは、ユーザ機器のボイスオーバーＩｎｔｅｒｎｅｔ  Ｐｒｏｔｏｃｏｌ  ＩＰマルチメディアサブシステムＩＭＳ  ＶｏＩＭＳが利用不可能であることを示すのに用いられる、段階と
を備える。
【０００７】
第１態様を参照すると、第１の可能な実装例において、方法は、ユーザ機器へインジケーションメッセージをＭＭＥにより送信する段階の前に、
ユーザ機器へ通知メッセージをＭＭＥにより送信する段階であり、通知メッセージは、ユーザ機器が登録または組み合わせ登録を開始することをトリガするのに用いられる、段階と、
ユーザ機器により送信された第１登録要求メッセージまたは第１組み合わせ登録要求メッセージをＭＭＥにより受信する段階と
をさらに備え、
ユーザ機器へインジケーションメッセージをＭＭＥにより送信する段階であり、インジケーションメッセージは、ユーザ機器のＶｏＩＭＳが利用不可能であることを示すのに用いられる、段階は、ユーザ機器へ第１登録受付メッセージまたは第１組み合わせ登録受付メッセージをＭＭＥにより送信する段階であり、第１登録受付メッセージまたは第１組み合わせ登録受付メッセージは第１インジケーション情報を含み、第１インジケーション情報は、ユーザ機器のＶｏＩＭＳが利用不可能であることを示すのに用いられる、段階を有する。
【０００８】
第１態様の第１の可能な実装例を参照すると、第２の可能な実装例において、
通知メッセージはデタッチ要求メッセージであり、または、
通知メッセージはグローバルに一意の一時的なアイデンティティＧＵＴＩ再割り当てメッセージであり、ＧＵＴＩ再割り当てメッセージは無効なトラッキングエリアアイデンティティリストＴＡＩリストを含む。
【０００９】
第１態様の第２の可能な実装例を参照すると、第３の可能な実装例において、デタッチ要求メッセージは国際モバイル加入者アイデンティティＩＭＳＩデタッチインジケーション情報を含む。
【００１０】
第１態様の第１から第３の可能な実装例いずれか１つを参照すると、第４の可能な実装例において、
第１登録要求メッセージはアタッチメッセージであり、第１登録受付メッセージはアタッチ受付メッセージであり、または、
第１組み合わせ登録要求メッセージは組み合わせアタッチメッセージであり、第１組み合わせ登録受付メッセージは組み合わせアタッチ受付メッセージであり、または、
第１登録要求メッセージはトラッキングエリア更新メッセージであり、第１登録受付メッセージはトラッキングエリア更新受付メッセージであり、または、
第１組み合わせ登録要求メッセージは組み合わせトラッキングエリア更新メッセージであり、第１組み合わせ登録受付メッセージは組み合わせトラッキングエリア更新受付メッセージである。
【００１１】
第１態様、および第１態様の第１から第４の可能な実装例のいずれか１つを参照すると、第５の可能な実装例において、方法は、
ベアラ確立失敗メッセージに従って、ホーム加入者サーバＨＳＳへ第１ロケーション更新要求メッセージをＭＭＥにより送信する段階であり、第１ロケーション更新要求メッセージはユーザ機器のＶｏＩＭＳが利用不可能であることをＨＳＳに通知するのに用いられる、段階をさらに備える。
【００１２】
第１態様、および第１態様の第１から第４の可能な実装例のいずれか１つを参照すると、第６の可能な実装例において、方法は、
ユーザ機器へインジケーションメッセージをＭＭＥにより送信する段階の後に、
ユーザ機器により送信された第２登録要求メッセージまたは第２組み合わせ登録要求メッセージをＭＭＥにより受信する段階と、
ユーザ機器へ第２登録受付メッセージまたは第２組み合わせ登録受付メッセージをＭＭＥにより送信する段階であり、第２登録受付メッセージまたは第２組み合わせ登録受付メッセージは第２インジケーション情報を含み、第２インジケーション情報は、ユーザ機器のＶｏＩＭＳが利用可能であることを示すのに用いられる、段階と
をさらに備える。
【００１３】
第１態様の第６の可能な実装例を参照すると、第７の可能な実装例において、方法は、
ユーザ機器へ第２登録受付メッセージまたは第２組み合わせ登録受付メッセージをＭＭＥにより送信する段階の後に、
ホーム加入者サーバＨＳＳへ第２ロケーション更新要求メッセージをＭＭＥにより送信する段階であり、第２ロケーション更新要求メッセージは、ユーザ機器のボイスオーバーＩｎｔｅｒｎｅｔ  Ｐｒｏｔｏｃｏｌ  ＩＰマルチメディアサブシステムＩＭＳ  ＶｏＩＭＳが利用可能であることをＨＳＳに通知するのに用いられる、段階をさらに備える。
【００１４】
第１態様の第５の可能な実装例を参照すると、第８の可能な実装例において、方法は、
ユーザ機器へインジケーションメッセージをＭＭＥにより送信する段階の後に、
ユーザ機器により送信された第２登録要求メッセージまたは第２組み合わせ登録要求メッセージをＭＭＥにより受信する段階と、
ユーザ機器へ第２登録受付メッセージまたは第２組み合わせ登録受付メッセージをＭＭＥにより送信する段階であり、第２登録受付メッセージまたは第２組み合わせ登録受付メッセージは第２インジケーション情報を含み、第２インジケーション情報は、ユーザ機器のＶｏＩＭＳが利用可能であることを示すのに用いられる、段階と
をさらに備える。
【００１５】
第１態様の第８の可能な実装例を参照すると、第９の可能な実装例において、方法は、
ユーザ機器へ第２登録受付メッセージまたは第２組み合わせ登録受付メッセージをＭＭＥにより送信する段階の後に、
ＨＳＳへ第２ロケーション更新要求メッセージをＭＭＥにより送信する段階であり、第２ロケーション更新要求メッセージは、ユーザ機器のＶｏＩＭＳが利用可能であることをＨＳＳに通知するのに用いられる、段階をさらに備える。
【００１６】
第１態様、および第１態様の第１から第９の可能な実装例のいずれか１つを参照すると、第１０の可能な実装例において、
ベアラ確立要求メッセージが、ユーザ機器のための音声ベアラを確立するようｅＮｏｄｅＢに命令するのに用いられることは、
ベアラ確立要求メッセージが、サービス品質クラス識別子ＱＣＩが１に等しいベアラをユーザ機器のために確立するようｅＮｏｄｅＢに命令するのに用いられることを含む。
【００１７】
本願発明の第２態様は、モビリティ管理エンティティを提供し、モビリティ管理エンティティは、
進化型ＮｏｄｅＢ  ｅＮｏｄｅＢへベアラ確立要求メッセージを送信するよう構成された送信ユニットであり、ベアラ確立要求メッセージは、ユーザ機器のために音声ベアラを確立するようｅＮｏｄｅＢに命令するのに用いられる、送信ユニットと、
ベアラ確立要求メッセージに応答してｅＮｏｄｅＢにより送信されたベアラ確立失敗メッセージを受信するよう構成された受信ユニットと
を備え、
送信ユニットはさらに、ユーザ機器へインジケーションメッセージを送信するよう構成され、インジケーションメッセージは、ユーザ機器のボイスオーバーＩｎｔｅｒｎｅｔ  Ｐｒｏｔｏｃｏｌ  ＩＰマルチメディアサブシステムＩＭＳ  ＶｏＩＭＳが利用不可能であることを示すのに用いられる。
【００１８】
第２態様を参照すると、第１の可能な実装例において、
送信ユニットはさらに、モビリティ管理エンティティがユーザ機器へインジケーションメッセージを送信する前に、ユーザ機器へ通知メッセージを送信するよう構成され、通知メッセージは、ユーザ機器が登録または組み合わせ登録を開始することをトリガするのに用いられ、
受信ユニットはさらに、ユーザ機器により送信された第１登録要求メッセージまたは第１組み合わせ登録要求メッセージを受信するよう構成され、
送信ユニットは、ユーザ機器へ第１登録受付メッセージまたは第１組み合わせ登録受付メッセージを送信するよう構成され、第１登録受付メッセージまたは第１組み合わせ登録受付メッセージは第１インジケーション情報を含み、第１インジケーション情報は、ユーザ機器のＶｏＩＭＳが利用不可能であることを示すのに用いられる。
【００１９】
第２態様、または第２態様の第１の可能な実装例を参照すると、第２の可能な実装例において、
送信ユニットはさらに、ベアラ確立失敗メッセージに従って、ホーム加入者サーバＨＳＳへ第１ロケーション更新要求メッセージを送信するよう構成され、第１ロケーション更新要求メッセージは、ユーザ機器のＶｏＩＭＳが利用不可能であることをＨＳＳに通知するのに用いられる。
【００２０】
第２態様、または第２態様の第１の可能な実装例を参照すると、第３の可能な実装例において、
受信ユニットはさらに、ユーザ機器により送信された第２登録要求メッセージまたは第２組み合わせ登録要求メッセージを受信するよう構成され、
送信ユニットはさらに、ユーザ機器へ第２登録受付メッセージまたは第２組み合わせ登録受付メッセージを送信するよう構成され、第２登録受付メッセージまたは第２組み合わせ登録受付メッセージは第２インジケーション情報を含み、第２インジケーション情報は、ユーザ機器のＶｏＩＭＳが利用可能であることを示すのに用いられる。
【００２１】
第２態様の第３の可能な実装例を参照すると、第４の可能な実装例において、
送信ユニットはさらに、ホーム加入者サーバＨＳＳへ第２ロケーション更新要求メッセージを送信するよう構成され、第２ロケーション更新要求メッセージは、ユーザ機器のボイスオーバーＩｎｔｅｒｎｅｔ  Ｐｒｏｔｏｃｏｌ  ＩＰマルチメディアサブシステムＩＭＳ  ＶｏＩＭＳが利用可能であることをＨＳＳに通知するのに用いられる。
【００２２】
第２態様の第２の可能な実装例を参照すると、第５の可能な実装例において、
受信ユニットはさらに、ユーザ機器により送信された第２登録要求メッセージまたは第２組み合わせ登録要求メッセージを受信するよう構成され、
送信ユニットはさらに、ユーザ機器へ第２登録受付メッセージまたは第２組み合わせ登録受付メッセージを送信するよう構成され、第２登録受付メッセージまたは第２組み合わせ登録受付メッセージは第２インジケーション情報を含み、第２インジケーション情報は、ユーザ機器のＶｏＩＭＳが利用可能であることを示すのに用いられる。
【００２３】
第２態様の第５の可能な実装例を参照すると、第６の可能な実装例において、
送信ユニットはさらに、ＨＳＳへ第２ロケーション更新要求メッセージを送信するよう構成され、第２ロケーション更新要求メッセージは、ユーザ機器のＶｏＩＭＳが利用可能であることをＨＳＳに通知するのに用いられる。
【００２４】
従来技術と比較し、本願発明の複数の実施形態に提供されている複数の解決法によると、ＶｏＬＴＥ通信の音声ベアラの確立が失敗したとき、ＶｏＬＴＥが利用不可能であることをユーザ機器は通知され、ユーザ機器がＶｏＬＴＥ通信を開始することを試み続けること、およびセルの輻輳を悪化させることが防がれ得る。
【図面の簡単な説明】
【００２５】
本願発明の複数の実施形態における複数の技術的解決法をより明確に説明するべく、下記に、複数の実施形態を説明するために必要となる添付の図面を簡単に紹介する。明らかに、下記の説明における添付の複数の図面は、本願発明の単に一部の実施形態を示し、当業者は、創造努力なしでこれら添付の図面から他の図面をさらに導き出し得る。
【図１】本願発明の実施形態に係る通信方法の概略図である。
【図２】本願発明の実施形態に係る通信方法の概略図である。
【図３】本願発明の実施形態に係る通信方法の概略図である。
【図４】本願発明の実施形態に係るモビリティ管理エンティティの実施形態の概略図である。
【図５】本願発明の実施形態に係る通信システムの実施形態の概略図である。
【発明を実施するための形態】
【００２６】
本願発明の複数の実施形態は、ＶｏＬＴＥ通信が失敗したときに、ＶｏＩＭＳが利用不可能であることをユーザ機器が通知され得、ユーザ機器がＶｏＬＴＥ通信を開始することを試み続けること、およびセルの輻輳を悪化させることが防がれ得る通信方法を提供する。本願発明の複数の実施形態はさらに、対応するデバイスおよびシステムを提供する。詳細は別個に、下記に例示されている。
【００２７】
下記に、本願発明の複数の実施形態における添付の複数の図面を参照し、本願発明の複数の実施形態における複数の技術的解決法が明確に説明される。明らかに、説明されている複数の実施形態は、本願発明の複数の実施形態の単に一部であり全てではない。創造努力なしで、本願発明の複数の実施形態に基づき当業者により得られる全ての他の実施形態が、本願発明の保護範囲に含まれる。
【００２８】
本願発明の複数の実施形態に関わりのあるいくつかの通信分野の用語の頭文字および略語は、下記のものを含む。モビリティ管理エンティティ（Ｍｏｂｉｌｉｔｙ  Ｍａｎａｇｅｍｅｎｔ  Ｅｎｔｉｔｙ，ＭＭＥ）、進化型ＮｏｄｅＢ（Ｅｖｏｌｖｅｄ  ＮｏｄｅＢ，ｅＮｏｄｅＢ）、ユーザ機器（Ｕｓｅｒ  Ｅｑｕｉｐｍｅｎｔ，ＵＥ）、移動通信交換局（Ｍｏｂｉｌｅ  Ｓｅｒｖｉｃｅｓ  Ｓｗｉｔｃｈｉｎｇ  Ｃｅｎｔｒｅ，ＭＳＣ）、第２世代または第３世代モバイル通信技術（２ｎｄ  Ｇｅｎｅｒａｔｉｏｎ／３ｒｄ  Ｇｅｎｅｒａｔｉｏｎ，２Ｇ  ｏｒ  ３Ｇ）、ロングタームエボリューション(Ｌｏｎｇ  Ｔｅｒｍ  Ｅｖｏｌｕｔｉｏｎ，ＬＴＥ)、ＩＰマルチメディアシステム（ＩＰ  Ｍｕｌｔｉｍｅｄｉａ  Ｓｙｓｔｅｍ，ＩＭＳ）、回線交換（Ｃｉｒｃｕｉｔ  Ｓｗｉｔｃｈｉｎｇ，ＣＳ）、ホーム加入者サーバ（Ｈｏｍｅ  Ｓｕｂｓｃｒｉｂｅｒ  Ｓｅｒｖｅｒ，ＨＳＳ）、移動局識別子（Ｉｎｔｅｒｎａｔｉｏｎａｌ  Ｍｏｂｉｌｅ  Ｓｔａｔｉｏｎ  Ｉｄｅｎｔｉｆｉｅｒ，ＩＭＳＩ）、呼セッション制御機能（Ｃａｌｌ  Ｓｅｓｓｉｏｎ  Ｃｏｎｔｒｏｌ  Ｆｕｎｃｔｉｏｎ，ＣＳＣＦ）、プロキシＣＳＣＦ（Ｐｒｏｘｙ−ＣＳＣＦ，Ｐ−ＣＳＣＦ）、問い合わせＣＳＣＦ（Ｉｎｔｅｒｒｏｇａｔｉｎｇ−ＣＳＣＦ，Ｉ−ＣＳＣＦ）、サービングＣＳＣＦ（Ｓｅｒｖｉｎｇ−ＣＳＣＦ，Ｓ−ＣＳＣＦ）、サービングゲートウェイ（Ｓｅｒｖｉｎｇ  Ｇａｔｅｗａｙ，Ｓ−ＧＷ）、進化型パケットコア（Ｅｖｏｌｖｅｄ  Ｐａｃｋｅｔ  Ｃｏｒｅ，ＥＰＣ）、サービス品質（Ｑｕａｌｉｔｙ  ｏｆ  Ｓｅｒｖｉｃｅ，ＱｏＳ）、ＱｏＳクラス識別子（ＱｏＳ  Ｃｌａｓｓ  Ｉｄｅｎｔｉｆｉｅｒ，ＱＣＩ）、ボイスオーバーＬＴＥ（Ｖｏｉｃｅ  Ｏｖｅｒ  ＬＴＥ，ＶｏＬＴＥ），ボイスオーバーＩＭＳ（Ｖｏｉｃｅ  Ｏｖｅｒ  ＩＭＳ，ＶｏＩＭＳ）、サービス集中化および継続性アプリケーションサーバ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ，ＳＣＣＡＳ）。
【００２９】
図１を参照すると、図１は、本願発明の実施形態における通信方法における、ＵＥが呼び出す処理である。Ｓ１００：ＵＥが、ＬＴＥネットワークにおいてＶｏＬＴＥ音声通信を開始する。
【００３０】
Ｓ１０５：ＵＥは、Ｐ／Ｓ−ＣＳＣＦへ音声通信要求を送信し、Ｐ／Ｓ−ＣＳＣＦはＳＣＣ  ＡＳへの音声通信を開始する。
【００３１】
Ｓ１１０：ＵＥにより送信された音声通信要求をＰ−ＣＳＣＦが受信した後に、Ｐ−ＣＳＣＦは、ポリシーおよび課金制御（Ｐｏｌｉｃｙ  ａｎｄ  Ｃｈａｒｇｉｎｇ  Ｃｏｎｔｒｏｌ，ＰＣＣ）システムを用いることにより、ＳＧＷ／ＰＧＷ／ＭＭＥへベアラ確立要求メッセージを送信する。ベアラ確立要求メッセージは、ＱＣＩ＝１である音声ベアラを確立するよう要求するメッセージであり得る。
【００３２】
Ｓ１１５：ＭＭＥは進化型ｅＮｏｄｅＢへベアラ確立要求メッセージを送信し、ｅＮＢが無線インタフェースリソースを有さないとき、ＭＭＥにより送信されたベアラ確立要求メッセージに応答して、ｅＮｏｄｅＢは、ＭＭＥへベアラ確立失敗メッセージを送信する。
【００３３】
具体的には、ｅＮＢが無線インタフェースリソースを有さない場合、ｅＮＢはベアラ確立失敗メッセージを送信する。ｅＮＢが無線インタフェースリソースを有する場合、ｅＮＢはベアラ確立成功メッセージを送信する。
【００３４】
ＭＭＥにより送信されたベアラ確立要求メッセージは、サービス品質クラス識別子ＱＣＩが１に等しいベアラをユーザ機器のために確立するようｅＮｏｄｅＢに命令するのに用いられる。
【００３５】
ベアラ確立失敗メッセージは、ＱＣＩ＝１である音声ベアラの確立が失敗したことを示すのに用いられる。
【００３６】
Ｓ１２０：ＭＭＥは、ＵＥへ通知メッセージを送信し、通知メッセージは、ＵＥが登録または組み合わせ登録を開始することをトリガするのに用いられる。  通知メッセージはデタッチ要求メッセージであり、または、
通知メッセージはグローバルに一意の一時的なアイデンティティＧＵＴＩ再割り当てメッセージであり、ＧＵＴＩ再割り当てメッセージは無効なトラッキングエリアアイデンティティリスト（Ｔｒａｃｋｉｎｇ  ａｒｅａ  Ｉｄｅｎｔｉｔｙ  ｌｉｓｔ，ＴＡＩ  ｌｉｓｔ）を含む。
【００３７】
デタッチ要求メッセージは、国際モバイル加入者アイデンティティＩＭＳＩデタッチインジケーション情報ＩＭＳＩ  Ｄｅｔａｃｈを含む。
【００３８】
Ｓ１２５：ＵＥは、ＭＭＥへ第１登録要求メッセージまたは第１組み合わせ登録要求メッセージを送信する。
【００３９】
第１登録要求メッセージはアタッチメッセージであり、または、第１登録要求メッセージはトラッキングエリア更新ＴＡＵメッセージである。
【００４０】
第１組み合わせ登録要求メッセージは組み合わせアタッチメッセージであり、または、第１組み合わせ登録要求メッセージは組み合わせトラッキングエリア更新ＴＡＵメッセージである。
【００４１】
Ｓ１２６：ＭＭＥはユーザ機器へ第１登録受付メッセージまたは第１組み合わせ登録受付メッセージを送信し、第１登録受付メッセージまたは第１組み合わせ登録受付メッセージは第１インジケーション情報を含み、第１インジケーション情報は、ユーザ機器のボイスオーバーＩｎｔｅｒｎｅｔ  Ｐｒｏｔｏｃｏｌ  ＩＰマルチメディアサブシステムＩＭＳ  ＶｏＩＭＳが利用不可能であることを示すのに用いられる。
【００４２】
第１登録受付メッセージはアタッチ受付メッセージであり、または、第１登録受付メッセージはトラッキングエリア更新ＴＡＵ受付メッセージである。
【００４３】
第１組み合わせ登録受付メッセージは組み合わせアタッチ受付メッセージであり、または、第１組み合わせ登録受付メッセージは組み合わせトラッキングエリア更新ＴＡＵ受付メッセージである。Ｓ１３０：ＭＭＥは、ホーム加入者サーバＨＳＳへ第１ロケーション更新要求メッセージを送信する。
【００４４】
第１ロケーション更新要求メッセージは、ユーザ機器のボイスオーバーＩｎｔｅｒｎｅｔ  Ｐｒｏｔｏｃｏｌ  ＩＰマルチメディアサブシステムＩＭＳ  ＶｏＩＭＳが利用不可能であることをＨＳＳに通知するのに用いられる。Ｓ１３５：ＭＭＥは、Ｐ／Ｓ−ＣＳＣＦへＱＣＩ＝１ベアラ確立失敗メッセージを送信する。Ｓ１４０：ＳＣＣ  ＡＳは、現在のセッションが失敗したことをＰ／Ｓ−ＣＳＣＦに通知する。Ｓ１４５：Ｐ／Ｓ−ＣＳＣＦは、現在のセッションが失敗したことをＵＥに通知する。
【００４５】
Ｓ１５０：ＵＥは、ＭＭＥへサービス拡張要求メッセージを送信して、再び音声セッションをトリガする。
【００４６】
ＭＭＥが、第１登録受付メッセージまたは第１組み合わせ登録受付メッセージを用いることにより、ＵＥのボイスオーバーＩｎｔｅｒｎｅｔ  Ｐｒｏｔｏｃｏｌ  ＩＰマルチメディアサブシステムＩＭＳ  ＶｏＩＭＳが利用不可能であることを示すので、ＵＥは、ＭＭＥへサービス拡張要求メッセージを送信し、サービス拡張要求メッセージは、回線交換フォールバックを要求するのに用いられる。
【００４７】
Ｓ１５５：ＵＥは、ＬＴＥネットワークから２Ｇまたは３ＧネットワークのＣＳドメインへ転送され、２Ｇまたは３ＧネットワークのＣＳドメインで音声セッションを実行する。
【００４８】
Ｓ１６０：２Ｇまたは３ＧネットワークのＣＳドメインでのセッションが終わった後に、ＵＥはＬＴＥネットワークへ戻る。
【００４９】
Ｓ１６５：ＵＥは、ＭＭＥへ第２登録要求メッセージまたは第２組み合わせ登録要求メッセージを送信する。
【００５０】
特定の実装において、タイマがＭＭＥにおいて設定され得る。タイマは、ＭＭＥがＵＥへ通知メッセージを送信した後に開始され、タイマが所定の時間に達したとき、ＭＭＥは、ＵＥへ通知メッセージを再び送信して、ＵＥが段階Ｓ１６５を実行することをトリガする。
【００５１】
もちろん、具体的な実装例は限定されず、他の実装例も用いられ得る。
【００５２】
Ｓ１６６：ＭＭＥは、ホーム加入者サーバＨＳＳへ第２ロケーション更新要求メッセージを送信し、第２ロケーション更新要求メッセージは、ＵＥのボイスオーバーＩｎｔｅｒｎｅｔ  Ｐｒｏｔｏｃｏｌ  ＩＰマルチメディアサブシステムＩＭＳ  ＶｏＩＭＳが利用可能であることをＨＳＳに通知するのに用いられる。
【００５３】
Ｓ１７０：ＭＭＥは、ＵＥへ第２登録受付メッセージまたは第２組み合わせ登録受付メッセージを送信する。
【００５４】
第２登録受付メッセージまたは第２組み合わせ登録受付メッセージに含まれる第２インジケーション情報が、ユーザ機器のボイスオーバーＩｎｔｅｒｎｅｔ  Ｐｒｏｔｏｃｏｌ  ＩＰマルチメディアサブシステムＩＭＳ  ＶｏＩＭＳが利用可能であることを示すのに用いられる。
【００５５】
従来技術と比較し、本願発明の本実施形態に提供されている解決法によると、ＶｏＬＴＥ通信の音声ベアラの確立が失敗したとき、ＶｏＬＴＥが利用不可能であることをユーザ機器は通知され、ユーザ機器がＶｏＬＴＥ通信を開始することを試み続けること、およびセルの輻輳を悪化させることが防がれ得る。
【００５６】
図２を参照すると、図２は、本願発明の実施形態における通信方法におけるＵＥが呼び出される処理である。
【００５７】
本願発明の本実施形態における段階Ｓ２００からＳ２４５は上記の呼び出し処理における段階Ｓ１００からＳ１４５と同じであり、本明細書において詳細は、改めて説明されていない。Ｓ２４６：ＭＳＣが、ＭＭＥへのＣＳＦＢページングメッセージを開始する。Ｓ２４７：ＭＭＥは、ＵＥへのＣＳＦＢページングメッセージを開始する。
【００５８】
Ｓ２５０：ＵＥはＣＳＦＢ通信を開始し、ＭＭＥへサービス拡張要求メッセージを送信し、サービス拡張要求メッセージは回線交換フォールバックを要求するのに用いられる。
【００５９】
Ｓ２５５：ＵＥは、ＬＴＥネットワークから２Ｇまたは３ＧネットワークのＣＳドメインへ転送され、２Ｇまたは３ＧネットワークのＣＳドメインで音声セッションを実行する。
【００６０】
Ｓ２６０：２Ｇまたは３ＧネットワークのＣＳドメインでのセッションが終わった後に、ＵＥはＬＴＥネットワークへ戻る。
【００６１】
Ｓ２６５：ＵＥは、ＭＭＥへ第２登録要求メッセージまたは第２組み合わせ登録要求メッセージを送信する。
【００６２】
特定の実装において、タイマがＭＭＥにおいて設定され得る。タイマは、ＭＭＥがＵＥへ通知メッセージを送信した後に開始され、タイマが所定の時間に達したとき、ＭＭＥは、ＵＥへ通知メッセージを再び送信して、ＵＥが段階Ｓ２６５を実行することをトリガする。
【００６３】
もちろん、具体的な実装例は限定されず、他の実装例も用いられ得る。
【００６４】
Ｓ２６６：ＭＭＥは、ホーム加入者サーバＨＳＳへ第２ロケーション更新要求メッセージを送信し、第２ロケーション更新要求メッセージは、ＵＥのボイスオーバーＩｎｔｅｒｎｅｔ  Ｐｒｏｔｏｃｏｌ  ＩＰマルチメディアサブシステムＩＭＳ  ＶｏＩＭＳが利用可能であることをＨＳＳに通知するのに用いられる。
【００６５】
Ｓ２７０：ＭＭＥは、ユーザ機器へ第２登録受付メッセージまたは第２組み合わせ登録受付メッセージを送信する。
【００６６】
従来技術と比較し、本願発明の本実施形態に提供されている解決法によると、ＶｏＬＴＥ通信の音声ベアラの確立が失敗したとき、ＶｏＬＴＥが利用不可能であることをユーザ機器は通知され、ユーザ機器がＶｏＬＴＥ通信を開始することを試み続けること、およびセルの輻輳を悪化させることが防がれ得る。
【００６７】
図３を参照すると、本願発明の実施形態において提供されている通信方法の実施形態は、下記の段階を含む。
【００６８】
３０１．ＭＭＥがｅＮｏｄｅＢへベアラ確立要求メッセージを送信し、ベアラ確立要求メッセージはｅＮｏｄｅＢに、ユーザ機器のための音声ベアラを確立するよう命令するのに用いられる。
【００６９】
３０２．ＭＭＥは、ベアラ確立要求メッセージに応答してｅＮｏｄｅＢにより送信されたベアラ確立失敗メッセージを受信する。
【００７０】
３０３．ＭＭＥは、ユーザ機器へインジケーションメッセージを送信し、インジケーションメッセージはユーザ機器のボイスオーバーＩｎｔｅｒｎｅｔ  Ｐｒｏｔｏｃｏｌ  ＩＰマルチメディアサブシステムＩＭＳ  ＶｏＩＭＳが利用不可能であることを示すのに用いられる。
【００７１】
本願発明の本実施形態において、方法は、
ＭＭＥがユーザ機器へインジケーションメッセージを送信する前に、
ユーザ機器へ通知メッセージをＭＭＥにより送信する段階であり、通知メッセージは、ユーザ機器が登録または組み合わせ登録を開始することをトリガするのに用いられる、段階と、
ユーザ機器により送信された第１登録要求メッセージまたは第１組み合わせ登録要求メッセージをＭＭＥにより受信する段階と
をさらに備える。
【００７２】
段階３０３において、ＭＭＥが、ユーザ機器へインジケーションメッセージを送信し、インジケーションメッセージはユーザ機器のＶｏＩＭＳが利用不可能であることを示すのに用いられる、段階は、
ユーザ機器へ第１登録受付メッセージまたは第１組み合わせ登録受付メッセージをＭＭＥにより送信する段階であり、第１登録受付メッセージまたは第１組み合わせ登録受付メッセージは第１インジケーション情報を含み、第１インジケーション情報は、ユーザ機器のＶｏＩＭＳが利用不可能であることを示すのに用いられる、段階を有し得る。
【００７３】
ＭＭＥにより実行される上記の複数の処理段階、および本実施形態における他の処理段階の詳細な説明に関しては、図１または図２に対応する実施形態における説明が参照され得、本明細書において詳細は、改めて説明されていない。
【００７４】
図４を参照すると、本願発明の実施形態において提供されているモビリティ管理エンティティ５０の実施形態は、
進化型ＮｏｄｅＢ  ｅＮｏｄｅＢへベアラ確立要求メッセージを送信するよう構成された送信ユニット５０１であり、ベアラ確立要求メッセージは、ユーザ機器のために音声ベアラを確立するようｅＮｏｄｅＢに命令するのに用いられる、送信ユニット５０１と、
ベアラ確立要求メッセージに応答してｅＮｏｄｅＢにより送信されたベアラ確立失敗メッセージを受信するよう構成された受信ユニット５０２と
を備える。
【００７５】
送信ユニット５０１はさらに、ユーザ機器へインジケーションメッセージを送信するよう構成され、インジケーションメッセージはユーザ機器のボイスオーバーＩｎｔｅｒｎｅｔ  Ｐｒｏｔｏｃｏｌ  ＩＰマルチメディアサブシステムＩＭＳ  ＶｏＩＭＳが利用不可能であることを示すのに用いられる。
【００７６】
送信ユニット５０１はさらに、モビリティ管理エンティティがユーザ機器へインジケーションメッセージを送信する前に、ユーザ機器へ通知メッセージを送信するよう構成され、通知メッセージは、ユーザ機器が登録または組み合わせ登録を開始することをトリガするのに用いられる。
【００７７】
受信ユニット５０２はさらに、ユーザ機器により送信された第１登録要求メッセージまたは第１組み合わせ登録要求メッセージを受信するよう構成される。
【００７８】
送信ユニット５０１は、ユーザ機器へ第１登録受付メッセージまたは第１組み合わせ登録受付メッセージを送信するよう構成され、第１登録受付メッセージまたは第１組み合わせ登録受付メッセージは第１インジケーション情報を含み、第１インジケーション情報は、ユーザ機器のＶｏＩＭＳが利用不可能であることを示すのに用いられる。
【００７９】
送信ユニット５０１はさらに、ベアラ確立失敗メッセージに従って、ホーム加入者サーバＨＳＳへ第１ロケーション更新要求メッセージを送信するよう構成され、第１ロケーション更新要求メッセージは、ユーザ機器のＶｏＩＭＳが利用不可能であることをＨＳＳに通知するのに用いられる。
【００８０】
受信ユニット５０２はさらに、ユーザ機器により送信された第２登録要求メッセージまたは第２組み合わせ登録要求メッセージを受信するよう構成される。
【００８１】
送信ユニット５０１はさらに、ユーザ機器へ第２登録受付メッセージまたは第２組み合わせ登録受付メッセージを送信するよう構成され、第２登録受付メッセージまたは第２組み合わせ登録受付メッセージは第２インジケーション情報を含み、第２インジケーション情報は、ユーザ機器のＶｏＩＭＳが利用可能であることを示すのに用いられる。
【００８２】
送信ユニット５０１はさらに、ホーム加入者サーバＨＳＳへ第２ロケーション更新要求メッセージを送信するよう構成され、第２ロケーション更新要求メッセージは、ユーザ機器のボイスオーバーＩｎｔｅｒｎｅｔ  Ｐｒｏｔｏｃｏｌ  ＩＰマルチメディアサブシステムＩＭＳ  ＶｏＩＭＳが利用可能であることをＨＳＳに通知するのに用いられる。
【００８３】
本実施形態におけるモビリティ管理エンティティは、図１、図２、および図３の方法の複数の実施形態で説明されているＭＭＥの方法の複数の段階を実行し得る。当業者は、これらの方法の実施形態で実行される複数の段階により、ＭＭＥの各ユニットの挙動、およびそれにより実行される動作、並びに、それらユニット間の関係を理解し得る。
【００８４】
図４の上記の実施形態において、メッセージを送信するよう構成された送信ユニットは、送信機を用いることにより実装され得、メッセージを受信するよう構成された受信ユニットは、受信機を用いることにより実装され得、または、送信ユニットおよび受信ユニットの両方が、トランシーバを用いることにより実装され得ることを当業者は理解し得る。物理的な実装において、送信機またはトランシーバは、１つの物体を用いることにより実装され得、または、複数の物体を用いることにより実装され得る。本願発明はそのことに関して限定を設定しない。生成ユニットなどの他のユニットが、１または複数のプロセッサを用いることにより実装され得る。本願発明はそのことに関して限定を設定しない。本願発明の本実施形態においてプロセッサにより実行されるプログラムは、メモリに格納され得る。
【００８５】
従来技術と比較し、ＶｏＬＴＥ通信の音声ベアラの確立が失敗したとき、本願発明の本実施形態において提供されているデバイスは、ＶｏＬＴＥが利用不可能であることをユーザ機器に通知し、ユーザ機器がＶｏＬＴＥ通信を開始することを試み続けること、およびセルの輻輳を悪化させることが防がれ得る。
【００８６】
図５を参照すると、本願発明の実施形態において提供されている音声処理システムの実施形態は、モビリティ管理エンティティ５０と、ユーザ機器６０と、進化型ＮｏｄｅＢ７０と、ホーム加入者サーバ８０とを含む。
【００８７】
モビリティ管理エンティティ５０、ユーザ機器６０、進化型ＮｏｄｅＢ７０、およびホーム加入者サーバ８０によりそれぞれ実行される複数の動作、およびモビリティ管理エンティティ５０と、ユーザ機器６０と、進化型ＮｏｄｅＢ７０と、ホーム加入者サーバ８０との間の相互作用に関しては、図１および図２の説明、図３における方法の実施形態、および装置の複数の実施形態の説明が参照され得る。本明細書において詳細は、改めて説明されていない。
【００８８】
本明細書で開示されている複数の実施形態で説明されている複数の例と組み合わせて、複数のユニットおよび複数のアルゴリズム段階が、電子ハードウェア、コンピュータソフトウェア、またはそれらの組み合わせにより実装され得ることに当業者は気付き得る。ハードウェアとソフトウェアとの間の互換性を明確に説明すべく、上記は概して、各例の複数の構成および複数の段階を複数の機能に従って説明してきた。それらの機能がハードウェアにより実行されるか、またはソフトウェアにより実行されるかは、複数の技術的解決法の特定の複数の応用および複数の設計的制約条件次第である。当業者は、説明されている複数の機能を、それぞれの特定の応用のために実装するべく異なる複数の方法を用い得るが、その実装が本願発明の範囲を超えるものとして見なされるべきではない。
【００８９】
簡便かつ簡潔な説明をする目的で、上記のシステム、装置、およびユニットの詳細な動作処理に関しては、上記の方法の複数の実施形態における対応する処理が参照され得ることが当業者により明確に理解され得、本明細書において詳細は、改めて説明されていない。
【００９０】
本願において提供されているいくつかの実施形態において、開示されているシステム、装置、および方法は他の複数のやり方で実装され得ることが理解されるべきである。例えば、説明されている装置の実施形態は単に例示的なものである。例えば、ユニットの区分けは、単に論理的な機能の区分けであり、実際の実装においては他の区分けであり得る。例えば、複数のユニットまたは構成要素が、他のシステムと組み合わせられるか、若しくはそれに統合され得、または、一部の機能は無視され、または実行されなくてもよい。加えて、表示された、または議論された複数の相互結合または複数の直接結合または複数の通信接続は、いくつかのインタフェースを用いることにより実装され得る。複数の装置間または複数のユニット間の複数の間接結合または複数の通信接続は電子的、機械的、または他の複数の形態で実装され得る。
【００９１】
別個の複数の部分として説明されている複数のユニットは、物理的に別個であってもよく、または別個でなくてもよく、複数のユニットとして表示されている複数の部分は、複数の物理的なユニットであってもよく、または複数の物理的なユニットでなくもよく、１つの位置に配置されてもよく、または、複数のネットワークユニット上で分散させられてもよい。複数のユニットの一部または全ては、本願発明の複数の実施形態の複数の解決法の複数の目的を達成するための、実際の必要性に従って選択され得る。
【００９２】
加えて、本願発明の複数の実施形態における複数の機能ユニットは、１つの処理ユニットに統合され得るか、または、複数のユニットのそれぞれは物理的に単独で存在し得、または、２またはそれより多くのユニットが１つのユニットに統合される。統合されたユニットは、ハードウェアの形態で実装され得、またはソフトウェア機能ユニットの形態で実装され得る。
【００９３】
統合されたユニットがソフトウェア機能ユニットの形態で実装され、独立した製品として販売される、または用いられる場合、統合されたユニットはコンピュータ可読記憶媒体に格納され得る。そのような理解に基づき、本願発明の複数の技術的解決法は基本的に、または従来技術に寄与する部分、または複数の技術的解決法の全てまたは一部は、ソフトウェア製品の形態で実装され得る。ソフトウェア製品は記憶媒体に格納され、本願発明の複数の実施形態において説明されている複数の方法の複数の段階の全てまたは一部を実行するよう、（パーソナルコンピュータ、サーバ、またはネットワークデバイスであり得る）コンピュータデバイスに命令するためのいくつかの命令を含む。上記の記憶媒体は、ＵＳＢフラッシュドライブ、取り外し可能ハードディスク、読み取り専用メモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク、または光ディスクなどの、プログラムコードを格納できる任意の媒体を含む。
【００９４】
上記の説明は単に、本願発明の特定の複数の実施形態であり、本願発明の保護範囲を限定することを意図されていない。本願発明において開示される技術範囲内で当業者により容易に理解される如何なる修正または置き換えも、本願発明の保護範囲に含まれる。ゆえに、本願発明の保護範囲は、請求項の保護範囲の対象となる。
（項目１）
進化型ＮｏｄｅＢ  ｅＮｏｄｅＢへベアラ確立要求メッセージをモビリティ管理エンティティＭＭＥにより送信する段階であり、上記ベアラ確立要求メッセージは、ユーザ機器のために音声ベアラを確立するよう上記ｅＮｏｄｅＢに命令するのに用いられる、段階と、
上記ベアラ確立要求メッセージに応答して上記ｅＮｏｄｅＢにより送信されたベアラ確立失敗メッセージを上記ＭＭＥが受信したとき、上記ユーザ機器へインジケーションメッセージを上記ＭＭＥにより送信する段階であり、上記インジケーションメッセージは、上記ユーザ機器のボイスオーバーＩｎｔｅｒｎｅｔ  Ｐｒｏｔｏｃｏｌ  ＩＰマルチメディアサブシステムＩＭＳ  ＶｏＩＭＳが利用不可能であることを示すのに用いられる、段階と
を備える、通信方法。
（項目２）
上記ユーザ機器へインジケーションメッセージを上記ＭＭＥにより送信する上記段階の前に、
上記ユーザ機器へ通知メッセージを上記ＭＭＥにより送信する段階であり、上記通知メッセージは、上記ユーザ機器が登録または組み合わせ登録を開始することをトリガするのに用いられる、段階と、
上記ユーザ機器により送信された第１登録要求メッセージまたは第１組み合わせ登録要求メッセージを上記ＭＭＥにより受信する段階と
をさらに備え、
上記ユーザ機器へインジケーションメッセージを上記ＭＭＥにより送信する上記段階であり、上記インジケーションメッセージは、上記ユーザ機器のＶｏＩＭＳが利用不可能であることを示すのに用いられる、上記段階は、上記ユーザ機器へ第１登録受付メッセージまたは第１組み合わせ登録受付メッセージを上記ＭＭＥにより送信する段階であり、上記第１登録受付メッセージまたは上記第１組み合わせ登録受付メッセージは第１インジケーション情報を含み、上記第１インジケーション情報は、上記ユーザ機器の上記ＶｏＩＭＳが利用不可能であることを示すのに用いられる、段階を有する、項目１に記載の通信方法。
（項目３）
上記通知メッセージはデタッチ要求メッセージであり、または、
上記通知メッセージはグローバルに一意の一時的なアイデンティティＧＵＴＩ再割り当てメッセージであり、上記ＧＵＴＩ再割り当てメッセージは無効なトラッキングエリアアイデンティティリストＴＡＩリストを含む、項目２に記載の通信方法。
（項目４）
上記デタッチ要求メッセージは国際モバイル加入者アイデンティティＩＭＳＩデタッチインジケーション情報を含む、項目３に記載の通信方法。
（項目５）
上記第１登録要求メッセージはアタッチメッセージであり、上記第１登録受付メッセージはアタッチ受付メッセージであり、または、
上記第１組み合わせ登録要求メッセージは組み合わせアタッチメッセージであり、上記第１組み合わせ登録受付メッセージは組み合わせアタッチ受付メッセージであり、または、
上記第１登録要求メッセージはトラッキングエリア更新メッセージであり、上記第１登録受付メッセージはトラッキングエリア更新受付メッセージであり、または、
上記第１組み合わせ登録要求メッセージは組み合わせトラッキングエリア更新メッセージであり、上記第１組み合わせ登録受付メッセージは組み合わせトラッキングエリア更新受付メッセージである、項目２から４のいずれか一項に記載の通信方法。
（項目６）
上記ベアラ確立失敗メッセージに従って、ホーム加入者サーバＨＳＳへ第１ロケーション更新要求メッセージを上記ＭＭＥにより送信する段階であり、上記第１ロケーション更新要求メッセージは上記ユーザ機器の上記ＶｏＩＭＳが利用不可能であることを上記ＨＳＳに通知するのに用いられる、段階をさらに備える、項目１から５のいずれか一項に記載の通信方法。
（項目７）
上記ユーザ機器へインジケーションメッセージを上記ＭＭＥにより送信する上記段階の後に、
上記ユーザ機器により送信された第２登録要求メッセージまたは第２組み合わせ登録要求メッセージを上記ＭＭＥにより受信する段階と、
上記ユーザ機器へ第２登録受付メッセージまたは第２組み合わせ登録受付メッセージを上記ＭＭＥにより送信する段階であり、上記第２登録受付メッセージまたは上記第２組み合わせ登録受付メッセージは第２インジケーション情報を含み、上記第２インジケーション情報は、上記ユーザ機器の上記ＶｏＩＭＳが利用可能であることを示すのに用いられる、段階と
をさらに備える、項目１から５のいずれか一項に記載の通信方法。
（項目８）
上記ユーザ機器へ第２登録受付メッセージまたは第２組み合わせ登録受付メッセージを上記ＭＭＥにより送信する上記段階の後に、
ホーム加入者サーバＨＳＳへ第２ロケーション更新要求メッセージを上記ＭＭＥにより送信する段階であり、上記第２ロケーション更新要求メッセージは、上記ユーザ機器の上記ボイスオーバーＩｎｔｅｒｎｅｔ  Ｐｒｏｔｏｃｏｌ  ＩＰマルチメディアサブシステムＩＭＳ  ＶｏＩＭＳが利用可能であることを上記ＨＳＳに通知するのに用いられる、段階をさらに備える、項目７に記載の通信方法。
（項目９）
上記ユーザ機器へインジケーションメッセージを上記ＭＭＥにより送信する上記段階の後に、
上記ユーザ機器により送信された第２登録要求メッセージまたは第２組み合わせ登録要求メッセージを上記ＭＭＥにより受信する段階と、
上記ユーザ機器へ第２登録受付メッセージまたは第２組み合わせ登録受付メッセージを上記ＭＭＥにより送信する段階であり、上記第２登録受付メッセージまたは上記第２組み合わせ登録受付メッセージは第２インジケーション情報を含み、上記第２インジケーション情報は、上記ユーザ機器の上記ＶｏＩＭＳが利用可能であることを示すのに用いられる、段階と
をさらに備える、項目６に記載の通信方法。
（項目１０）
上記ユーザ機器へ第２登録受付メッセージまたは第２組み合わせ登録受付メッセージを上記ＭＭＥにより送信する上記段階の後に、
上記ＨＳＳへ第２ロケーション更新要求メッセージを上記ＭＭＥにより送信する段階であり、上記第２ロケーション更新要求メッセージは、上記ユーザ機器の上記ＶｏＩＭＳが利用可能であることを上記ＨＳＳに通知するのに用いられる、段階をさらに備える、項目９に記載の通信方法。
（項目１１）
上記ベアラ確立要求メッセージが、ユーザ機器のための音声ベアラを確立するよう上記ｅＮｏｄｅＢに命令するのに用いられることは、
上記ベアラ確立要求メッセージが、サービス品質クラス識別子ＱＣＩが１に等しいベアラを上記ユーザ機器のために確立するよう上記ｅＮｏｄｅＢに命令するのに用いられることを含む、項目１から１０のいずれか一項に記載の通信方法。
（項目１２）
進化型ＮｏｄｅＢ  ｅＮｏｄｅＢへベアラ確立要求メッセージを送信するよう構成された送信ユニットであり、上記ベアラ確立要求メッセージは、ユーザ機器のために音声ベアラを確立するよう上記ｅＮｏｄｅＢに命令するのに用いられる、送信ユニットと、
上記ベアラ確立要求メッセージに応答して上記ｅＮｏｄｅＢにより送信されたベアラ確立失敗メッセージを受信するよう構成された受信ユニットと
を備え、
上記送信ユニットはさらに、上記ユーザ機器へインジケーションメッセージを送信するよう構成され、上記インジケーションメッセージは、上記ユーザ機器のボイスオーバーＩｎｔｅｒｎｅｔ  Ｐｒｏｔｏｃｏｌ  ＩＰマルチメディアサブシステムＩＭＳ  ＶｏＩＭＳが利用不可能であることを示すのに用いられる、モビリティ管理エンティティ。
（項目１３）
上記送信ユニットはさらに、上記モビリティ管理エンティティが上記ユーザ機器へ上記インジケーションメッセージを送信する前に、上記ユーザ機器へ通知メッセージを送信するよう構成され、上記通知メッセージは、上記ユーザ機器が登録または組み合わせ登録を開始することをトリガするのに用いられ、
上記受信ユニットはさらに、上記ユーザ機器により送信された第１登録要求メッセージまたは第１組み合わせ登録要求メッセージを受信するよう構成され、
上記送信ユニットは、上記ユーザ機器へ第１登録受付メッセージまたは第１組み合わせ登録受付メッセージを送信するよう構成され、上記第１登録受付メッセージまたは上記第１組み合わせ登録受付メッセージは第１インジケーション情報を含み、上記第１インジケーション情報は、上記ユーザ機器の上記ＶｏＩＭＳが利用不可能であることを示すのに用いられる、項目１２に記載のモビリティ管理エンティティ。
（項目１４）
上記送信ユニットはさらに、上記ベアラ確立失敗メッセージに従って、ホーム加入者サーバＨＳＳへ第１ロケーション更新要求メッセージを送信するよう構成され、上記第１ロケーション更新要求メッセージは、上記ユーザ機器の上記ＶｏＩＭＳが利用不可能であることを上記ＨＳＳに通知するのに用いられる、項目１２または１３に記載のモビリティ管理エンティティ。
（項目１５）
上記受信ユニットはさらに、上記ユーザ機器により送信された第２登録要求メッセージまたは第２組み合わせ登録要求メッセージを受信するよう構成され、
上記送信ユニットはさらに、上記ユーザ機器へ第２登録受付メッセージまたは第２組み合わせ登録受付メッセージを送信するよう構成され、上記第２登録受付メッセージまたは上記第２組み合わせ登録受付メッセージは第２インジケーション情報を含み、上記第２インジケーション情報は、上記ユーザ機器の上記ＶｏＩＭＳが利用可能であることを示すのに用いられる、項目１２または１３に記載のモビリティ管理エンティティ。
（項目１６）
上記送信ユニットはさらに、ホーム加入者サーバＨＳＳへ第２ロケーション更新要求メッセージを送信するよう構成され、上記第２ロケーション更新要求メッセージは、上記ユーザ機器の上記ボイスオーバーＩｎｔｅｒｎｅｔ  Ｐｒｏｔｏｃｏｌ  ＩＰマルチメディアサブシステムＩＭＳ  ＶｏＩＭＳが利用可能であることを上記ＨＳＳに通知するのに用いられる、項目１５に記載のモビリティ管理エンティティ。
（項目１７）
上記受信ユニットはさらに、上記ユーザ機器により送信された第２登録要求メッセージまたは第２組み合わせ登録要求メッセージを受信するよう構成され、
上記送信ユニットはさらに、上記ユーザ機器へ第２登録受付メッセージまたは第２組み合わせ登録受付メッセージを送信するよう構成され、上記第２登録受付メッセージまたは上記第２組み合わせ登録受付メッセージは第２インジケーション情報を含み、上記第２インジケーション情報は、上記ユーザ機器の上記ＶｏＩＭＳが利用可能であることを示すのに用いられる、項目１４に記載のモビリティ管理エンティティ。
（項目１８）
上記送信ユニットはさらに、上記ＨＳＳへ第２ロケーション更新要求メッセージを送信するよう構成され、上記第２ロケーション更新要求メッセージは、上記ユーザ機器の上記ＶｏＩＭＳが利用可能であることを上記ＨＳＳに通知するのに用いられる、項目１７に記載のモビリティ管理エンティティ。
【図１】
0006289626.tif 000002
【図２】
0006289626.tif 000003
【図３】
0006289626.tif 000004
【図４】
0006289626.tif 000005
【図５】
0006289626.tif 000006